(57)【要約】      （修正有）【課題】無線通信ネットワークにおいてハイブリッドパイロット構成を用いるのを容易にするシステム及び方法を提供する。【解決手段】ハイブリッドパイロット構成は、送信時間間隔内においてまとめて多重化された共通パイロットシンボルと専用パイロットシンボルとを含む。前記多重化されたパイロットシンボルは、チャネルを復調するために受け取って利用することができる。共通パイロットシンボルは、制御チャネルを復調するために用いることができ、専用パイロットシンボルは、データチャネルを復調するために利用することができる。さらに、前記専用パイロットシンボルは、チャネル推定を生成するために用いることができる。前記共通パイロットチャネルは、前記チャネル推定を増強するために前記専用パイロットシンボルと組み合わせて利用することができる。【選択図】図４
2014014103.tif 000002
【特許請求の範囲】
【請求項１】
無線通信ネットワークにおいてハイブリッドパイロットモードを利用するための方法であって、
多重化された共通パイロットシンボルと専用パイロットシンボルとを含む送信を送信時間間隔において受信することと、
前記共通パイロットシンボルを利用して少なくとも１つの制御チャネルにおける制御信号を復調することと、
前記専用パイロットシンボルを用いて少なくとも１つのデータチャネルにおけるデータ信号を復調すること、とを備える、方法。
【請求項２】
前記専用パイロットシンボルを利用してチャネル推定を生成することをさらに備える請求項１に記載の方法。
【請求項３】
前記共通パイロットシンボルを用いることによって前記チャネル推定を増強することをさらに備える請求項２に記載の方法。
【請求項４】
前記専用パイロットシンボル及び前記共通パイロットシンボルの両方を利用してデータ信号を復調することをさらに備える請求項１に記載の方法。
【請求項５】
前記制御チャネルは、帯域幅全体にわたる請求項１に記載の方法。
【請求項６】
前記少なくとも１つの制御チャネルは、パケット専用制御チャネルを含む請求項１に記載の方法。
【請求項７】
前記少なくとも１つのデータチャネルは、物理ダウンリンク共有チャネルを含む請求項１に記載の方法。
【請求項８】
無線通信装置であって、
多重化された共通パイロットシンボルと専用パイロットシンボルとを含む送信を送信時間間隔において受信すること、前記共通パイロットシンボルを利用して少なくとも１つの制御チャネルにおける制御信号を復調すること、及び  前記専用パイロットシンボルを用いて少なくとも１つのデータチャネルにおけるデータ信号を復調することに関連する命令を保持するメモリと、
前記メモリに結合されて前記メモリ内に保持される前記命令を実行するように構成されたプロセッサと、を備える、無線通信装置。
【請求項９】
前記メモリは、前記専用パイロットシンボルを利用してチャネル推定を生成するための命令をさらに保持する請求項８に記載の無線通信装置。
【請求項１０】
前記メモリは、前記共通パイロットシンボルを用いることによって前記チャネル推定を増強するための命令をさらに保持する請求項９に記載の無線通信装置。
【請求項１１】
前記メモリは、前記専用パイロットシンボル及び前記共通パイロットシンボルの両方を利用してデータ信号を復調するための命令をさらに保持する請求項８に記載の無線通信装置。
【請求項１２】
前記制御チャネルは、帯域幅全体にわたる請求項８に記載の無線通信装置。
【請求項１３】
前記少なくとも１つの制御チャネルは、パケット専用制御チャネルを含む請求項８記載の無線通信装置。
【請求項１４】
前記少なくとも１つのデータチャネルは、物理ダウンリンク共有チャネルを含む請求項８に記載の無線通信装置。
【請求項１５】
無線通信ネットワークにおいてハイブリッドパイロットモードを利用するのを容易にする無線通信装置であって、
多重化された共通パイロットシンボルと専用パイロットシンボルとを含む送信を送信時間間隔において受信するための手段と、
前記共通パイロットシンボルを利用して少なくとも１つの制御チャネルにおける制御信号を復調するための手段と、
前記専用パイロットシンボルを用いて少なくとも１つのデータチャネルにおけるデータ信号を復調するための手段と、を備える、無線通信装置。
【請求項１６】
前記専用パイロットシンボルを利用してチャネル推定を生成するための手段をさらに備える請求項１５に記載の無線通信装置。
【請求項１７】
前記共通パイロットシンボルを用いることによって前記チャネル推定を増強するための手段をさらに備える請求項１６に記載の無線通信装置。
【請求項１８】
前記専用パイロットシンボル及び前記共通パイロットシンボルの両方を利用してデータ信号を復調するための手段をさらに備える請求項１５に記載の無線通信装置。
【請求項１９】
前記制御チャネルは、帯域幅全体にわたる請求項１５に記載の無線通信装置。
【請求項２０】
前記少なくとも１つの制御チャネルは、パケット専用制御チャネルを含む請求項１５に記載の無線通信装置。
【請求項２１】
前記少なくとも１つのデータチャネルは、物理ダウンリンク共有チャネルを含む請求項１５に記載の無線通信装置。
【請求項２２】
機械によって読み取り可能な媒体であって、
多重化された共通パイロットシンボルと専用パイロットシンボルとを含む送信を送信時間間隔において受信し、
前記共通パイロットシンボルを利用して少なくとも１つの制御チャネルにおける制御信号を復調し、及び
前記専用パイロットシンボルを用いて少なくとも１つのデータチャネルにおけるデータ信号を復調するための機械によって実行可能な命令を格納している、機械によって読み取り可能な媒体。
【請求項２３】
前記専用パイロットシンボルを利用してチャネル推定を生成するための機械によって実行可能な命令をさらに備える請求項２２に記載の機械によって読み取り可能な媒体。
【請求項２４】
前記共通パイロットシンボルを用いることによって前記チャネル推定を増強するための機械によって読み取り可能な命令をさらに備える請求項２３に記載の機械によって読み取り可能な媒体。
【請求項２５】
前記専用パイロットシンボル及び前記共通パイロットシンボルの両方を利用してデータ信号を復調するための機械によって読み取り可能な命令をさらに備える請求項２２に記載の機械によって読み取り可能な媒体。
【請求項２６】
前記制御チャネルは、帯域幅全体にわたる請求項２２に記載の機械によって読み取り可能な媒体。
【請求項２７】
前記少なくとも１つの制御チャネルは、パケット専用制御チャネルを含む請求項２２に記載の機械によって読み取り可能な媒体。
【請求項２８】
前記少なくとも１つのデータチャネルは、物理ダウンリンク共有チャネルを含む請求項２２に記載の機械によって読み取り可能な媒体。
【請求項２９】
無線通信システムにおいて、装置であって、
多重化された共通パイロットシンボルと専用パイロットシンボルとを含む送信を送信時間間隔において受信し、
前記共通パイロットシンボルを利用して少なくとも１つの制御チャネルにおける制御信号を復調し、及び
前記専用パイロットシンボルを用いて少なくとも１つのデータチャネルにおけるデータ信号を復調するように構成された集積回路を備える、装置。
【請求項３０】
無線通信ネットワークにおいてハイブリッドパイロットモードを用いるための方法であって、
送信時間間隔において共通パイロットシンボルを専用パイロットシンボルと多重化することと、
前記多重化されたパイロットシンボルを少なくとも１つのモバイルデバイスに送信すること、とを備える、方法。
【請求項３１】
前記共通パイロットシンボルを共通パイロットチャネルにおいて送信することをさらに備える請求項３０に記載の方法。
【請求項３２】
前記少なくとも１つのモバイルデバイスに対応する専用パイロットチャネルにおいて前記専用パイロットシンボルを送信することをさらに備える請求項３０に記載の方法。
【請求項３３】
前記共通パイロットシンボルは、プリミティブプリコーディング情報を含む請求項３０に記載の方法。
【請求項３４】
前記専用パイロットシンボルは、プリコーディングされる請求項３０に記載の方法。
【請求項３５】
無線通信装置であって、
送信時間間隔において共通パイロットシンボルを専用パイロットシンボルと多重化すること及び前記多重化されたパイロットシンボルを少なくとも１つのモバイルデバイスに送信することに関連する命令を保持するメモリと、
前記メモリに結合されて前記メモリ内に保持される前記命令を実行するように構成されたプロセッサと、を備える、無線通信装置。
【請求項３６】
前記メモリは、前記共通パイロットシンボルを共通パイロットチャネルにおいて送信するための命令をさらに保持する請求項３５に記載の無線通信装置。
【請求項３７】
前記メモリは、前記少なくとも１つのモバイルデバイスに対応する専用パイロットチャネルにおいて前記専用パイロットシンボルを送信するための命令をさらに保持する請求項３５に記載の無線通信装置。
【請求項３８】
前記共通パイロットシンボルは、プリミティブプリコーディング情報を含む請求項３５に記載の無線通信装置。
【請求項３９】
前記専用パイロットシンボルは、プリコーディングされる請求項３５に記載の無線通信装置。
【請求項４０】
無線通信ネットワークにおいてハイブリッドパイロットモードを用いるのを容易にする無線通信装置であって、
送信時間間隔において共通パイロットシンボルを専用パイロットシンボルと多重化するための手段と、
前記多重化されたパイロットシンボルを少なくとも１つのモバイルデバイスに送信するための手段と、を備える、無線通信装置。  
【請求項４１】
前記共通パイロットシンボルを共通パイロットチャネルにおいて送信するための手段をさらに備える請求項４０に記載の無線通信装置。
【請求項４２】
前記少なくとも１つのモバイルデバイスに対応する専用パイロットチャネルにおいて前記専用パイロットシンボルを送信するための手段をさらに備える請求項４０に記載の無線通信装置。
【請求項４３】
前記共通パイロットシンボルは、プリミティブプリコーディング情報を含む請求項４０に記載の無線通信装置。
【請求項４４】
前記専用パイロットシンボルは、プリコーディングされる請求項４０に記載の無線通信装置。
【請求項４５】
機械によって読み取り可能な媒体であって、
送信時間間隔において共通パイロットシンボルを専用パイロットシンボルと多重化し、及び
前記多重化されたパイロットシンボルを少なくとも１つのモバイルデバイスに送信するための機械によって実行可能な命令を格納している、機械によって読み取り可能な媒体。
【請求項４６】
前記共通パイロットシンボルを共通パイロットチャネルにおいて送信するための命令をさらに備える請求項４５に記載の機械によって読み取り可能な媒体。
【請求項４７】
前記少なくとも１つのモバイルデバイスに対応する専用パイロットチャネルにおいて前記専用パイロットシンボルを送信するための命令をさらに備える請求項４５に記載の機械によって読み取り可能な媒体。
【請求項４８】
前記共通パイロットシンボルは、プリミティブプリコーディング情報を含む請求項４５に記載の機械によって読み取り可能な媒体。
【請求項４９】
前記専用パイロットシンボルは、プリコーディングされる請求項４５に記載の機械によって読み取り可能な媒体。
【請求項５０】
無線通信システムにおいて、装置であって、
送信時間間隔において共通パイロットシンボルを専用パイロットシンボルと多重化し、及び
前記多重化されたパイロットシンボルを少なくとも１つのモバイルデバイスに送信するように構成された集積回路を備える、装置。
【発明の詳細な説明】
【技術分野】
【０００１】
関連出願の相互参照
本特許出願は、“A METHOD AND APPARATUS FOR USING A DEDICATED PILOT STRUCTURE FOR DOWNLINK”（ダウンリンクに関する専用パイロット構造を用いるための方法及び装置）という題名を有する米困仮特許出願一連番号６０／８９４，４４９（出願日：２００７年３月１２日）の利益を主張するものである。上記の特許出願の全体が参照されることによってここに組み入れられている。
【０００２】
以下の説明は、一般的には、無線通信に関するものである。以下の説明は、より具体的には、ハイブリッドパイロット構成に関するものである。
【背景技術】
【０００３】
様々なタイプの通信コンテンツ、例えば音声、データ、等、を提供することを目的として無線通信システムが広範囲にわたって配備されている。典型的無線通信システムは、利用可能なシステム資源（例えば、帯域幅、送信電力、等）を共有することによって複数のユーザーとの通信をサポートすることができる多元接続システムであることができる。該多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、等を含むことができる。さらに、これらのシステムは、第３世代パートナーシッププロジェクト（３ＧＰＰ）、３ＧＰＰロング・ターム・エボリューション（ＬＴＥ）、等の仕様に準拠することができる。
【０００４】
一般的には、無線多元接続通信システムは、複数のモバイルデバイスに関する通信を同時にサポートすることができる。各モバイルデバイスは、順方向リンク及び逆方向リンクにおける送信を介して１つ以上の基地局と通信することができる。順方向リンク（又はダウンリンク）は、基地局からモバイルデバイスへの通信リンクを意味し、逆方向リンク（又はアップリンク）は、モバイルデバイスから基地局への通信リンクを意味する。さらに、モバイルデバイスと基地局との間の通信は、単入力単出力（ＳＩＳＯ）システム、多入力単出力（ＭＩＳＯ）システム、多入力多出力（ＭＩＭＯ）システム、等を介して確立することができる。さらに、モバイルデバイスは、ピア・ツー・ピア無線ネットワーク構成におけるその他のモバイルデバイス（及び／又はその他の基地局を有する基地局）と通信することができる。
【０００５】
ＭＩＭＯシステムは、共通して、複数（ＮＴ）の送信アンテナ及び複数（ＮＲ）の受信アンテナをデータ送信のために用いる。これらのアンテナは、基地局及びモバイルデバイスの両方に関連することができ、一例においては、無線ネットワーク上のデバイス間における双方向通信を可能にする。数多くのデバイスが近接した状態で信号データを送信するため、デバイスが通信において十分な信号対雑音比及びデータレートを保証するようにするための資源割り当て及び電力制御が重要である。従って、後続する送信において追加の資源を割り当てるために及び／又は追加の電力を要求するために利用できる送信時の信号品質の測定を可能にする広帯域パイロット信号をデバイスによって送信することができる。
【発明の概要】
【０００６】
以下は、１つ以上の実施形態についての基本的な理解を可能にすることを目的としてこれらの実施形態の単純化された概要を示すものである。この概要は、すべての企図される実施形態を広範囲にわたって概説したものではなく、さらに全実施形態の主要な又は極めて重要な要素を識別すること及びいずれかの又はすべての実施形態の適用範囲を詳細に説明することのいずれも意図されていない。以下の説明の唯一の目的は、後述される発明を実施するための形態の準備段階として１つ以上の実施形態の幾つかの概念を単純な形で提示することである。
【０００７】
一側面により、無線通信ネットワークにおいてハイブリッドパイロットモードを利用するための方法がここにおいて説明される。前記方法は、多重化された共通パイロットシンボルと専用パイロットシンボルとを含む送信を送信時間間隔において受信することを備えることができる。さらに、前記方法は、前記共通パイロットシンボルを利用して少なくとも１つの制御チャネルにおける制御信号を復調することを含むことができる。前記方法は、前記専用パイロットシンボルを用いて少なくとも１つのデータチャネルにおけるデータ信号を復調することを備えることもできる。
【０００８】
他の側面は、多重化された共通パイロットシンボルと専用パイロットシンボルとを含む送信を送信時間間隔において受信すること、前記共通パイロットシンボルを利用して少なくとも１つの制御チャネルにおける制御信号を復調すること及び前記専用パイロットシンボルを用いて少なくとも１つのデータチャネルにおけるデータ信号を復調することに関連する命令を保持するメモリを備えることができる無線通信装置に関連する。前記無線通信装置は、前記メモリに結合され及び前記メモリ内に保持される前記命令を実行するように構成されたプロセッサを含むこともできる。
【０００９】
さらに他の側面は、無線通信ネットワークにおいてハイブリッドパイロットモードを利用するのを容易にする無線通信装置に関連する。前記装置は、多重化された共通パイロットシンボルと専用パイロットシンボルとを含む送信を送信時間間隔において受信するための手段を含むことができる。さらに、前記装置は、前記共通パイロットシンボルを利用して少なくとも１つの制御チャネルにおける制御信号を復調するための手段を含むことができる。前記装置は、前記専用パイロットシンボルを用いて少なくとも１つのデータチャネルにおけるデータ信号を復調するための手段をさらに備えることができる。
【００１０】
さらに他の側面は、多重化された共通パイロットシンボルと専用パイロットシンボルとを含む送信を送信時間間隔において受信するための機械によって実行可能な命令を格納している機械によって読み取り可能な媒体に関連する。前記機械によって読み取り可能な媒体は、前記共通パイロットシンボルを利用して少なくとも１つの制御チャネルにおける制御信号を復調するための命令をさらに備えることができる。さらに、前記機械によって読み取り可能な媒体は、前記専用パイロットシンボルを用いて少なくとも１つのデータチャネルにおけるデータ信号を復調するための命令を含むことができる。
【００１１】
無線通信システムにおける他の側面により、装置は、集積回路を備えることができる。前記集積回路は、多重化された共通パイロットシンボルと専用パイロットシンボルとを含む送信を送信時間間隔において受信するように構成することができる。前記集積回路は、前記共通パイロットシンボルを利用して少なくとも１つの制御チャネルにおける制御信号を復調するように構成することができる。さらに、前記集積回路は、前記専用パイロットシンボルを用いて少なくとも１つのデータチャネルにおけるデータ信号を復調するように構成することができる。
【００１２】
他の側面により、無線通信ネットワークにおいてハイブリッドパイロットモードを利用するための方法がここにおいて説明される。前記方法は、送信時間間隔において共通パイロットシンボルを専用パイロットシンボルと多重化することを備えることができる。さらに、前記方法は、前記多重化されたパイロットシンボルを少なくとも１つのモバイルデバイスに送信することを含むことができる。
【００１３】
ここにおいて説明される他の側面は、メモリを含むことができる無線通信装置に関連する。前記メモリは、送信時間間隔において共通パイロットシンボルを専用パイロットシンボルと多重化すること及び前記多重化されたパイロットシンボルを少なくとも１つのモバイルデバイスに送信することに関連する命令を保持することができる。さらに、前記無線通信装置は、前記メモリに結合され及び前記メモリ内に保持される前記命令を実行するように構成されたプロセッサを含むことができる。
【００１４】
さらに他の側面は、無線通信ネットワークにおいてハイブリッドパイロットモードを用いるのを容易にする無線通信装置に関連する。前記装置は、送信時間間隔において共通パイロットシンボルを専用パイロットシンボルと多重化するための手段を備えることができる。さらに、前記装置は、前記多重化されたパイロットシンボルを少なくとも１つのモバイルデバイスに送信するための手段を備えることができる。
【００１５】
さらに他の側面は、機械によって実行可能な命令を格納している機械によって読み取り可能な媒体に関連する。前記機械によって読み取り可能な媒体は、送信時間間隔において共通パイロットシンボルを専用パイロットシンボルと多重化するための命令を備えることができる。さらに、前記機械によって読み取り可能な媒体は、前記多重化されたパイロットシンボルを少なくとも１つのモバイルデバイスに送信するための命令を含むことができる。
【００１６】
ここにおいて説明される他の側面は、集積回路を備える無線通信システム内の装置に関連する。前記集積回路は、送信時間間隔において共通パイロットシンボルを専用パイロットシンボルと多重化するように構成することができる。さらに、前記集積回路は、前記多重化されたパイロットシンボルを少なくとも１つのモバイルデバイスに送信するように構成することができる。
【００１７】
上記の目的及び関連する目的を完遂させるために、前記１つ以上の前記実施形態は、以下において十分に説明され、請求項において特に強調される特徴を備える。以下の説明及び添付図面は、前記１つ以上の実施形態の一定の例示的側面を詳述するものである。しかしながら、これらの側面は、様々な実施形態の原理を採用することができる様々な方法のうちのほんのわずかを示しており、前記説明される実施形態は、これらのすべての側面及びその同等の側面を含むことが意図されている。
【図面の簡単な説明】
【００１８】
【図１】ここにおいて説明される側面による無線通信システムの図である。
【図２】無線通信環境において用いるための通信装置例を示した図である。
【図３】一側面によるハイブリッドパイロット構成を用いる無線通信システム例を示した図である。
【図４】本件開示の一側面による資源マッピング例を示した図である。
【図５】無線通信ネットワークにおいてハイブリッドパイロットモードを用いるのを容易にする方法例を示した図である。
【図６】無線通信ネットワークにおいてハイブリッドパイロット構成を利用する方法例を示した図である。
【図７】基地局によって送信されるハイブリッドパイロット構成を利用するのを容易にするモバイルデバイス例を示した図である。
【図８】無線通信ネットワークにおいてハイブリッドパイロット構成を生成及び用いるのを容易にするシステム例を示した図である。
【図９】ここにおいて説明される様々なシステム及び方法と併用することができる無線ネットワーク環境例を示した図である。
【図１０】ハイブリッドパイロット構成を生成するシステム例を示した図である。
【図１１】ハイブリッドパイロット構成を利用するシステム例を示した図である。
【発明を実施するための形態】
【００１９】
次に、図面を参照して様々な実施形態が説明され、同一のものについては全図面に渡って同一の参照数字を付すこととする。以下では、説明の目的上、１つ以上の実施形態について徹底的に理解できるようにするために数多くの具体的な詳細が示される。しかしながら、該実施形態は、これらの具体的な詳細なしで実践できることが明確であろう。その他の事例においては、１つ以上の実施形態に関する説明を容易にするためによく知られた構造及びデバイスがブロック図形で示される。
【００２０】
この出願において用いられる“構成要素”、“モジュール”、“システム”、等の用語は、ハードウェア、ファームウェア、ハードウェアとソフトウェアの組み合わせ、ソフトウェア、実行中のソフトウェアのいずれであるかにかかわらず、コンピュータに関連するエンティティを指すことが意図される。例えば、構成要素は、プロセッサ上で実行中のプロセス、プロセッサ、オブジェクト、エクセキュータブル、実行スレッド、プログラム、及び／又はコンピュータであることができるが、これらに限定されない。例として、計算デバイスにおいて実行中のアプリケーション及びその計算デバイスの両方が構成要素であることができる。プロセス及び／又は実行スレッド内には１つ以上の構成要素が常駐することができ、構成要素は、１つのコンピュータ上に局在化する及び／又は２つ以上のコンピュータ間で分散させることができる。さらに、これらの構成要素は、様々なデータ構造が格納されている様々なコンピュータによって読み取り可能な媒体から実行可能である。これらの構成要素は、ローカル及び／又は遠隔プロセスによって、例えば１つ以上のデータパケット（例えば、ローカルシステム又は分散型システム内の他の構成要素と対話中の及び／又はインターネット等のネットワークを通じて信号を用いてその他のシステムと対話中の構成要素からのデータ）を有する信号に従って通信することができる。
【００２１】
さらに、ここにおいては、様々な実施形態がモバイルデバイスと関係させて説明される。モバイルデバイスは、システム、加入者ユニット、加入者局、移動局、モバイル、遠隔局、遠隔端末、アクセス端末、ユーザー端末、端末、無線通信デバイス、ユーザーエージェント、ユーザーデバイス、又はユーザー装置（ＵＥ）と呼ぶことも可能である。モバイルデバイスは、携帯電話、コードレスフォン、セッション開始プロトコル（ＳＩＰ）フォン、ワイヤレスローカルループ（ＷＬＬ）局、パーソナルデジタルアシスタント（ＰＤＡ）、無線接続能力を有するハンドヘルドデバイス、計算デバイス、又は無線モデムに接続されたその他の処理デバイスであることができる。さらに、ここにおいては様々な実施形態が基地局と関係させて説明される。基地局は、モバイルデバイスと通信するために利用することができ、アクセスポイント、ノードＢ、又はその他の用語で呼ぶことも可能である。
【００２２】
さらに、ここにおいて説明される様々な側面又は特徴は、標準的なプログラミング及び／又はエンジニアリング技法を用いて製造方法、製造装置、又は製造品として実装することができる。ここにおいて用いられる“製造品”という表現は、コンピュータによって読み取り可能なデバイス、キャリヤ、又は媒体からアクセス可能なコンピュータプログラムを包含することが意図される。例えば、コンピュータによって読み取り可能な媒体は、磁気記憶装置（例えば、ハードディスク、フロッピー（登録商標）ディスク、磁気ストリップ）と、光学ディスク（例えば、コンパクトディスク（ＣＤ）、デジタルバーサタイルディスク（ＤＶＤ））と、スマートカードと、フラッシュメモリデバイス（例えば、ＥＰＲＯＭ、カード、スティック、キードライブ）と、を含むことができるが、これらに限定されない。さらに、ここにおいて説明される様々な記憶媒体は、情報を格納するための１つ以上のデバイス及び／又はその他の機械によって読み取り可能な媒体を表すことができる。“機械によって読み取り可能な媒体”という表現は、限定されることなしに、無線チャネル及び命令及び／又はデータを格納、内蔵、及び／又は搬送することができるその他の様々な媒体を含むことができる。
【００２３】
今度は図１に関して、ここにおいて提示される様々な実施形態による無線通信システム１００が示される。システム１００は、複数のアンテナグループを含むことができる基地局１０２を備える。例えば、１つのアンテナグループは、アンテナ１０４と１０６とを含むことができ、他のグループは、アンテナ１０８と１１０とを含むことができ、追加のグループは、アンテナ１１２と１１４とを含むことができる。各アンテナグループに関して２本のアンテナが示される。しかしながら、各グループに関してそれより多い又は少ないアンテナを利用することができる。当業者によって明確に理解されるように、基地局１０２は、送信機チェーンと受信機チェーンとをさらに含むことができ、これらの各々は、信号の送信及び受信と関連する複数の構成要素（例えば、プロセッサ、変調器、マルチプレクサ、復調器、デマルチプレクサ、アンテナ、等）を備えることができる。
【００２４】
基地局１０２は、１つ以上のアクセス端末、例えばモバイルデバイス１１６及びモバイルデバイス１２２、と通信することができる。しかしながら、基地局１０２は、モバイルデバイス１１６及び１２２に類似する実質上あらゆる数のモバイルデバイスと通信できることが明確に理解されるべきである。モバイルデバイス１１６及び１２２は、例えば、携帯電話、スマートフォン、ラップトップ、ハンドヘルド通信デバイス、ハンドヘルド計算デバイス、衛星無線、全地球測位システム、ＰＤＡ、及び／又は無線通信システム１００を通じて通信するためのその他の適切なデバイスであることができる。描かれるように、モバイルデバイス１１６は、アンテナ１１２及び１１４と通信し、アンテナ１１２及び１１４は、順方向リンク１１８を通じてアクセス端末１１６に情報を送信し、逆方向リンク１２０を通じてアクセス端末１１６から情報を受信する。さらに、モバイルデバイス１２２は、アンテナ１０４及び１０６と通信し、アンテナ１０４及び１０６は、順方向リンク１２４を通じてモバイルデバイス１２２に情報を送信し、逆方向リンク１２６を通じてモバイルデバイス１２２から情報を受信する。周波数分割複信（ＦＤＤ）システムにおいては、順方向リンク１１８は、逆方向リンク１２０によって用いられるのとは異なる周波数帯域を利用することができ、順方向リンク１２４は、例えば逆方向リンク１２６によって採用されるのとは異なる周波数帯域を採用することができる。さらに、時分割複信（ＴＤＤ）システムにおいては、順方向リンク１１８及び逆方向リンク１２０は、共通の周波数帯域を利用することができ、順方向リンク１２４及び逆方向リンク１２６は、共通の周波数帯域を利用することができる。
【００２５】
アンテナの組及び／又はこれらのアンテナが通信するように指定されているエリアは、基地局１０２のセクターと呼ぶことができる。例えば、複数のアンテナを、基地局１０２によって網羅されたエリアのセクター内のモバイルデバイスに通信するように設計することができる。順方向リンク１１８及び１２４における通信においては、基地局１０２の送信アンテナは、モバイルデバイス１１６及び１２２に関する順方向リンク１１８及び１２４の信号対雑音比を向上させるためにビーム形成を利用することができる。さらに、基地局１０２は、関連するカバレッジ全体にわたって無作為に散在するモバイルデバイス１１６及び１２２に送信するためにビーム形成を利用する一方で、近隣セル内のモバイルデバイスは、単一のアンテナを通じて全モバイルデバイスに送信する基地局と比較してより少ない干渉を受けるようになることができる。
【００２６】
一例により、システム１００は、多入力多出力（ＭＩＭＯ）通信システムであることができる。さらに、システム１００は、ＦＤＤ、ＴＤＤ、等のあらゆる型の二重化を利用することができる。一例により、基地局１０２は、順方向リンク１１８及び１２４においてモバイルデバイス１１６及び１２２に送信することができる。さらに、モバイルデバイス１１６及び１２２は、各々の順方向リンク又はダウンリンクチャネルを推定することができ、及び逆方向リンク又はアップリンク１２０及び１２６を介して基地局１０２に提供することができる対応するフィードバックを生成することができる。
【００２７】
図２に関して、無線通信環境において用いるための通信装置２００が示される。通信装置２００は、基地局又はその一部であることができる。さらに、通信装置２００は、モバイルデバイス又はその一部であることができる。さらに、通信装置２００は、無線通信環境において送信されるデータを受信する実質的にあらゆる通信装置であることができる。通信装置２００は、その他の通信装置、基地局、モバイルデバイス、等にデータ送信を送ること及びこれらの装置からデータ送信を受け取ることができる。例えば、通信装置２００は、無線通信システムにおいて通信するように構成された受信機及び／又は送信機システムを含むことができる。通信装置２００は、ＯＦＤＭＡ、ＣＤＭＡ、ＴＤＭＡ、ＦＤＭＡ、３ＧＰＰ  ＬＴＥ技法、等の無線通信技法を用いることができる。
【００２８】
通信装置２００は、共通パイロットシンボルを維持する共通パイロットマネージャ２０２を含むことができる。一例により、共通パイロットシンボルは、共通パイロットチャネル（ＣＰＩＣＨ）又はその他の該チャネルで送信することができる。一例により、共通パイロットシンボルは、既知のビット系列を含む。既知のビット系列は、共通パイロットシンボルを含む信号の位相を受信機が検出するのを可能にする。一側面においては、共通パイロットシンボルは、一次同期化符号の完全な識別のために用いることができる。さらに、共通パイロットシンボルは、予め決められた拡散符号及び拡散係数において送信するように構成することができる。例えば、共通パイロットシンボルは、ゼロの拡散符号及び２５６の拡散係数を有することができる。さらに、共通パイロットマネージャ２０２によって維持される共通パイロットシンボルは、通信装置２００と通信中の全受信機に送信することができる（例えば、シンボルをブロードキャストすることができる）。
【００２９】
通信装置２００は、専用パイロットシンボルを管理する専用パイロットマネージャ２０４をさらに含むことができる。専用パイロットは、通信装置２００と通信する各受信機に関して別々に維持されるパイロット信号である。専用パイロットシンボルは、例えば、チャネル推定を行うために受信機によって利用することができる。通信装置２００は、共通パイロットマネージャ２０２によって維持される共通パイロットシンボルを専用パイロットマネージャ２０４によって維持される専用パイロットシンボルと組み合わせるか又は多重化することができるマルチプレクサ２０６を含むことができる。一側面により、マルチプレクサ２０６は、同じ送信時間間隔（ＴＴＩ）内において共通パイロットシンボルと専用パイロットシンボルを多重化する。同じＴＴＩ内において共通パイロットシンボルと専用パイロットシンボルを多重化することは、両方のタイプのパイロットシンボルを独立して復号可能な送信においてカプセル化するのを可能にする。換言すると、共通パイロットシンボル及び専用パイロットシンボルは、１つの全体として送信することができる単一のデータブロックにおいて送信される（例えば、符号化及びインターリービングされる）。
【００３０】
さらに、示されていないが、通信装置２００は、共通パイロットシンボルを維持すること、１つ以上のその他の装置に関する専用パイロットシンボルを管理すること、同じＴＴＩにおいて共通パイロットシンボルを専用パイロットシンボルと多重化すること、多重化されたシンボルを送信すること、等に関する命令を保持するメモリを含むことができる。さらに、メモリは、共通パイロット構成、専用パイロット構成又はハイブリッドパイロット構成を選択するための命令を保持することができる。さらに、通信装置２００は、命令（例えば、メモリ内に保持される命令、異種のソースから入手された命令、等）を実行することに関係して利用することができるプロセッサを含むことができる。
【００３１】
次に図３に関して、後続してパイロットの受信機によって利用することができる通信ネットワークにおいてハイブリッドパイロット構成を用いることができる無線通信システム３００が示される。システム３００は、モバイルデバイス３０４（及び／又はあらゆる数の異種のモバイルデバイス（示されていない））と通信する基地局３０２を含む。基地局３０２は、順方向リンクチャネルにおいてモバイルデバイス３０４に情報を送信することができる。さらに基地局３０２は、逆方向リンクチャネルにおいてモバイルデバイス３０４から情報を受信することができる。さらに、システム３００は、ＭＩＭＯシステムであることができる。さらに、システム３００は、ＯＦＤＭＡ無線ネットワーク、３ＧＰＰ  ＬＴＥ無線ネットワーク、等において動作することができる。さらに、基地局３０２内の以下に示されて説明される構成要素及び機能は、一例においてはモバイルデバイス３０４にも存在することができ及びその逆も可能であり、描かれる構成は、説明を簡単にすることを目的としてこれらの構成要素を除外している。
【００３２】
基地局３０２は、一組の共通パイロットシンボルを維持することができる共通パイロットマネージャ３０６と、複数の組の専用パイロットシンボルを管理することができる専用パイロットマネージャ３０８と、単一の送信時間間隔において共通パイロットシンボルを専用パイロットシンボルと多重化することができるマルチプレクサ３１０と、を含む。さらに、モバイルデバイス３０４は、共通パイロットシンボルを利用して制御チャネルを復調することができる制御復調器３１２と、専用パイロットシンボルを用いてデータチャネルを復調することができるデータ復調器３１４と、基地局３０２から受信された送信に少なくとも部分的に基づいてモバイルデバイス３０４に関するチャネル推定を生成することができる推定器３１６と、を含む。
【００３３】
一例により、基地局３０２は、ハイブリッドパイロット構成を含む信号をモバイルデバイス３０４に送信することができる。基地局３０２は、共通パイロットシンボル内にカプセル化された一組の既知のビット系列を維持する共通パイロットマネージャ３０６を含む。基地局３０２は、モバイルデバイス３０４及び基地局３０２と通信するその他のあらゆるモバイルデバイスに対して共通パイロットシンボルをブロードキャストするための共通パイロットチャネルを用いることができる。基地局３０２は、専用パイロットシンボルを管理する専用パイロットマネージャ３０８をさらに含む。専用パイロットマネージャ３０８は、モバイルデバイス３０４及び基地局３０２と通信するその他のモバイルデバイス（示されていない）に関する個別の一組の専用パイロットシンボルを維持する。個別の一組の専用パイロットシンボルは、基地局３０２がモバイルデバイス３０４に関して別個の専用パイロット信号及び／又はチャネルを維持するのを可能にする。マルチプレクサ３１０は、同じ送信時間間隔（ＴＴＩ）を備えるデータブロックをモバイルデバイス３０４に送信する前に同じＴＴＩ内の共通パイロットシンボル及び専用パイロットシンボルを多重化する。
【００３４】
モバイルデバイス３０４は、多重化されたパイロットを含む送信されたデータブロックを受信した時点で、パイロットシンボルを利用して情報を復調する及び／又はチャネル推定を行うことができる。モバイルデバイス３０４は、ＴＴＩを分解して共通パイロットシンボル及び専用パイロットシンボルを復元することができる。例えば、モバイルデバイス３０４は、デマルチプレクサ（示されていない）を含むことができる。共通パイロットシンボルは、例えばパックされた専用制御チャネル等の制御チャネルを復調するために制御復調器３１２によって利用することができる。制御チャネルは無線通信システム３００の帯域幅全体にわたることができるため、モバイルデバイス３０４は、該チャネルを復調するために共通パイロットシンボルに依存する。多重化された送信に含められた専用パイロットシンボルは、データチャネルを復調するためにデータ復調器３１４によって用いることができる。さらに、データ復調器３１４は、データチャネルを復調するために専用パイロットシンボル及び制御パイロットシンボルの両方を用いることができる。データチャネルは、限定されることなしに、物理ダウンリンク共有チャネルを含むことができる。一実施形態においては、専用パイロットシンボルは、データ復調器３１４がデータチャネルをコヒーレントに復調するのを可能にするようにプリコーディングすることができる。さらに、一側面により、共通パイロットシンボルは、制御復調器が制御チャネルをコヒーレントに復調するのを容易にするためのプリミティブプリコーディング情報を含むことができる。さらに、共通パイロットシンボル及び専用パイロットシンボルの両方をプリコーディングに関して用いることができる。
【００３５】
他の側面においては、モバイルデバイスは、多重化されたパイロットシンボルを用いてチャネル推定を行うことができる。推定器３１６は、専用パイロットシンボルを利用して、無線送信（例えば、位相）による影響を受けるチャネルインパルス応答又はその他のチャネル特性のチャネル推定を生成することができる。一実施形態により、推定器３１６は、共通パイロットシンボル及び専用パイロットシンボルを利用することによってチャネル推定を増強することができる。
【００３６】
次に図４に関して、１つの周波数にわたる複数のタイムスロットとして表される帯域幅のサンプル部分が示され、一例においては、これは、（例えば、３ＧＰＰ又は３ＧＰＰ  ＬＴＥ構成におけるような）複数のＯＦＤＭシンボル４０２、４０４であることができる。前述されるように、帯域幅の一部分は、広帯域パイロットデータを送信するために所定の時間において予約することができる。この例においては、ＯＦＤＭシンボル４０２は、該データを送信するために利用することができる。その他のＯＦＤＭシンボル４０４は、実質的データ、制御データ（示される）、及び／又は実質的にその他のあらゆるデータを送信するために利用することができる。示されるサンプルは、例えば経時で繰り返すことができる。一例においては、サンプル部分は、ｎミリ秒ごとに繰り返すことができ、このため、広帯域パイロットチャネルは、各タイムスロットにおいて（ｎミリ秒ごとに１回）送信され、追加データによって後続される。広帯域パイロットデータを送信するすべてのデバイスが各タイムスロットにおいて該データを送信する必要があるわけではなく、むしろ、説明されるように、デバイスは、そのデバイスのスケジューリング上の必要性及び／又は活動レベルに少なくとも部分的に基づいて送信周期性を割り当てることができることが明確に理解されるべきである。
【００３７】
一例により、示される帯域幅４００は、所定の周波数にわたり、例えば３ＧＰＰ  ＬＴＥ構成においては０．５ｍｓにわたることができる。従って、０．５ｍｓにおいて送信されるｎのＯＦＤＭシンボル４０２、４０４が存在することができ、ここで、１つのＯＦＤＭシンボル４０２は、広帯域パイロットデータの送信専用であり、残りのｎ−１のＯＦＤＭシンボル４０４は、追加のデータ（共有データ及び制御データ）の送信用である。十分な活動を有するデバイスは、広帯域パイロット情報を送信するようにスケジューリングすることができ、さらに、デバイスには、活動レベルに少なくとも部分的に基づいてホッピングパターンを割り当てることができる。ホッピングパターンは、広帯域パイロット情報をいつ及びどこでデバイスによって送信すべきであるかを指定することができる。例えば、一例においては、デバイスは、活動レベルに依存して、２５Ｈｚ、５０Ｈｚ、１００Ｈｚ、又は２００Ｈｚにおける広帯域パイロット情報の送信を要求することができる。さらに、広帯域パイロットチャネル４０２は、広帯域パイロットデータを１ＭＨｚ資源ブロックにおいてチャネル全体にわたって多重化するのを可能にすることができる。この点に関して、広帯域パイロッデータを送信するために２００Ｈｚの周期性を要求するデバイスには、すべてのタイムスロットにおいて（この例においては０．５ｍｓごとに）データを送信するホッピングパターンを割り当てることができる。逆に、広帯域パイロッデータを送信するために２５Ｈｚの周期性のみを要求するデバイスには、８番目のタイムスロットごとに（この例においては４．０ｍｓごとに）データを送信するホッピングパターンを割り当てることができる。この方法により、デバイスには、その他の割り当てられたホッピングパターンを評価することによって衝突及び干渉を最小化するホッピングパターンを割り当てることができる。
【００３８】
次に図４に関して、本件開示の一側面により典型的資源マッピングが描かれる。説明を単純化する目的上、例は、継続時間の点で１つの送信サブフレーム又は２つの送信スロット（例えば、１ミリ秒）に等しい時間及び周波数次元における資源ブロックを描く。周波数軸に沿った各ブロックはトーンを表し、トーン間の間隔は、利用されるサイクリックプリフィックス継続時間に依存する。時間軸に沿った各ブロックはシンボルを表し、継続時間及びシンボル数も、用いられるサイクリックプリフィックスに依存する。図４は、例示を目的とするものであり、開示される主題は、この例の適用範囲に限定されないことが明確に理解されるべきである。当業者は、資源マッピングを異なるアンテナ数、様々なトーン間隔、サブフレーム継続時間、等を含むシステムにどのようにして拡張できるかを理解すべきである。
【００３９】
図４において、共通パイロットシンボル及び専用パイロットシンボルを含む１つのサブフレーム（２つのスロット）が示される。この例においては、４アンテナＭＩＭＯシステムが提供される。特定のアンテナにマッピングされた共通パイロットシンボルが示される。さらに、この例は、肯定応答チャネル（ＡＣＫＣＨ）及びパケット専用制御チャネル（ＰＤＣＣＨ）におけるサブフレームの第１のシンボルでの送信を含む。一側面により、制御チャネルは、帯域幅全体にわたる周波数において送信される。さらに、図４は、専用パイロットチャネル（ＤＰＩＣＨ）及び物理ダウンリンク共有チャネル（ＰＤＳＣＨ）における送信を描く。１つの例示的実施形態においては、専用パイロットシンボルは、示されようにＤＰＩＣＨチャネルにおいて送信される。従って、共通パイロットシンボル及び専用パイロットシンボルは、同じＴＴＩ（例えば、サブフレーム）内において送信される。
【００４０】
他の側面により、正規の共通パイロットチャネル（ＣＰＩＣＨ）シンボルは、プリアンブル及び／又はミッドアンブルにおいて送信される。さらに、これらのシンボルは、ＣＱＩ及びＭＩＭＯサポートフィードバックチャネルが意図される。一例により、ＣＰＩＣＨ送信は５ｍｓごとに１回生じることができる。動作モード（共通対専用）は、物理ブロードキャストチャネル（Ｐ−ＢＣＨ）において示すことができる。動作モードは、例えば、１乃至２ビットの情報を利用する。ＰＤＣＣＨをコヒーレントに復調するためにＰＤＣＣＨ−ＣＰＩＣＨを用いることができる。一実施形態においては、ＰＤＣＣＨは、プリミティブプリコーディング情報を含むことができる。ＰＤＳＣＨをコヒーレントに復調するためにＰＤＳＣＨ−ＤＰＩＣＨを利用することができる。さらに、ＤＰＩＣＨをプリコーディングすることができる。チャネル推定は、ＣＰＩＣＨ（ＰＤＣＣＨ情報を用いる）及びＤＰＩＣＨの組み合わせを利用して増強することができる。
【００４１】
図５乃至６に関して、無線通信ネットワークにおいてハイブリッドパイロット構成を提供することに関連する方法が示される。説明を単純化することを目的として、これらの方法は一連の行為として示されて説明される一方で、幾つかの行為は、１つ以上の実施形態により、ここにおいて示されて説明される順序と異なる順序で及びその他の行為と同時並行して生じることができるため、これらの方法は行為の順序によって限定されないことが理解及び評価されるべきである。例えば、方法は例えば状態図内におけるように一連の相互に関連する状態又はイベントとして代替で表すことが可能であることを当業者は理解及び評価するであろう。さらに、１つ以上の実施形態に従って方法を実装するためにすべての例示される行為が要求されるわけではない。  
図５に関して、無線通信ネットワークにおいてハイブリッドパイロットモードを用いるのを容易にする方法５００が示される。方法５００は、例えば基地局によって実行することができる。しかしながら、方法５００は、無線通信ネットワークにおけるその他のデバイスによって実行できることが明確に理解されるべきである。参照数字５０２において、ハイブリッドモードが選択される。ハイブリッドモードは、共通パイロットシンボル及び専用パイロットシンボルの両方を含むハイブリッドパイロット構成を備える。ハイブリッドパイロット構成は、すべてのモバイルデバイスに対して共通パイロットがブロードキャストされる共通モード又は各モバイルデバイスに関して別々の専用パイロットが維持される専用モードの代わりに用いることができる。参照数字５０４において、制御パイロットシンボル及び専用パイロットシンボルが送信時間間隔内においてまとめて多重化される。共通パイロットシンボル及び専用パイロットシンボルを同じＴＴＩ内において多重化することは、両方のタイプのパイロットシンボルを独立して復号可能な送信においてカプセル化するのを可能にする。換言すると、共通パイロットシンボル及び専用パイロットシンボルは、１つの全体として送信できる単一のデータブロックにおいて送信（例えば、符号化及びインターリービング）される。参照数字５０６において、多重化されたパイロット信号を含むＴＴＩが例えば少なくとも１つのモバイルデバイスに送信される。
【００４２】
次に図６に関して、無線通信ネットワークにおいてハイブリッドパイロット構成を利用するのを容易にする方法６００が示される。方法６００は、例えばモバイルデバイスによって実行することができる。しかしながら、方法６００は、無線通信ネットワークにおけるその他のデバイスによって実行できることが明確に理解されるべきである。参照数字６０２において、多重化された信号が受信される。多重化された信号は、送信時間間隔内において組み合わされた共通パイロットシンボル及び専用パイロットシンボルを含む。参照数字６０４において、共通パイロットシンボルは、制御復調に関して用いられる。制御復調は、少なくとも１つの制御チャネルにおいて情報を復調することを含む。参照数字６０６において、専用パイロットシンボルがデータ復調に関して利用される。データ復調は、少なくとも１つのデータチャネルにおいて情報を復調することを含む。参照数字６０８において、チャネル推定が生成される。一側面により、チャネル推定は、専用パイロットシンボル、共通パイロットシンボル又はその組み合わせを用いることによって生成することができる。
【００４３】
ここにおいて説明される１つ以上の側面により、説明される無線通信ネットワークにおいてハイブリッドパイロット構成を用いることに関して推論を行うことができる。ここにおいて用いられる“推論する”又は“推論”という表現は、一般的には、システム、環境、及び／又はユーザーの状態をイベント及び／又はデータを介して取得された一組の観察事項から推量するか又は推論するプロセスを指す。推論は、特定の状況又は行動を識別するために採用することができるか、又は例えば状態に関する確率分布を生成することができる。推論は、確率論的、すなわち、データ及びイベントの考慮に基づいた対象状態に関する確率分布の計算であることができる。推論は、より高いレベルのイベントを一組のイベント及び／又はデータから組み立てるために採用される技法を指すこともできる。該推論の結果として、新しいイベント又は行動が一組の観察されたイベント及び／又は格納されたイベントデータから構築されることになり、これらのイベントが時間的に接近した形で相互に関連しているかどうか、及びこれらのイベント及びデータが１つ又は幾つかのイベント及びデータ源からのものであるかどうかを問わない。
【００４４】
一例により、上述される１つ以上の方法は、ハイブリッドパイロット構成を用いることに関する推論を行うことを含むことができる。例えば、過去のチャネル推定に関して行われた推論に基づいてチャネル推定を生成することができ、例えば、共通パイロットシンボルによって推定を増強することがその推定に影響を及ぼすときの及ぼし方である。さらに、データチャネルを復調する際に及び／又はチャネル推定を生成する際に共通パイロットシンボルを専用パイロットシンボルと組み合わせて用いるべきかどうかを決定することに関して推論を行うことができる。
【００４５】
図７は、基地局によって送信されたハイブリッドパイロット構成を利用するのを容易にするモバイルデバイス７００を示す。モバイルデバイス７００は、例えば受信アンテナ（示されていない）から信号を受信する受信機７０２を備え、受信された信号に対して典型的な動作（例えば、フィルタリング、増幅、ダウンコンバージョン）を行い、コンディショニングされた信号をデジタル化してサンプルを入手する。受信機７０２は、受信されたシンボルを復調すること及びそれらをチャネル推定のためにプロセッサ７０６に提供することができる復調器７０４を備えることができる。プロセッサ７０６は、受信機７０２によって受信された情報を解析すること及び／又は送信機７１６による送信のための情報を生成することを専用とするプロセッサ、モバイルデバイス７００の１つ以上の構成要素を制御するプロセッサ、及び／又は受信機７０２によって受信された情報を解析し、送信機７１６による送信のために情報を生成し、及びモバイルデバイス７００の１つ以上の構成要素を制御するプロセッサであることができる。
【００４６】
モバイルデバイス７００は、動作可能な形でプロセッサ７０６に結合され及び送信されるべきデータ、受信されたデータ、利用可能チャネルに関連する情報、解析された信号と関連づけられたデータ及び／又は干渉強度、割り当てられたチャネル、電力、レート、等に関連する情報、及びチャネルを推定する及びチャネルを介して通信するためのその他の適切な情報を格納することができるメモリ７０８をさらに備えることができる。メモリ７０８は、チャネルを推定及び／又は利用することと関連づけられたプロトコル及び／又はアルゴリズムをさらに格納することができる（例えば、性能に基づく、容量に基づく、等）。
【００４７】
ここにおいて説明されるデータ格納装置（例えば、メモリ７０８）は、揮発性メモリ又は非揮発性メモリであることができ、又は揮発性メモリ及び非揮発性メモリの両方を含むことができる。例として、及び制限することなしに、非揮発性メモリは、読み取り専用メモリ（ＲＯＭ）、プログラマブルＲＯＭ（ＰＰＲＯＭ）、電気的プログラマブルＲＯＭ（ＥＰＲＯＭ）、電気的消去可能ＲＯＭ（ＥＥＰＲＯＭ）、又はフラッシュメモリを含むことができる。揮発性メモリは、外部キャッシュメモリとして動作するランダムアクセスメモリ（ＲＡＭ）を含むことができる。例として、ただし制限することなしに、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、及びダイレクトランバスＲＡＭ（ＤＲＲＡＭ）等の数多くの形態で利用可能である。主題のシステム及び方法のメモリ７０８は、制限されることなしに、これらの型及びその他のあらゆる適切な型のメモリを備えることが意図される。
【００４８】
プロセッサ７０６は、上述されるように共通パイロットシンボルを利用して制御チャネルを復調することができる制御復調器７１０に動作可能な形でさらに結合することができる。一例においては、共通パイロットシンボルは、例えばパックされた専用制御チャネル等の制御チャネルを復調するために制御復調器７００によって利用することができる。制御チャネルは、無線通信システムの帯域幅全体にわたることができるため、モバイルデバイス７００は、該チャネルを復調するために共通パイロットシンボルに依存する。プロセッサ７０６は、専用パイロットシンボルを用いてデータチャネルを復調することができるデータ復調器７１２に動作可能な形で結合させることも可能である。さらに、データ復調器７１２は、データチャネルを復調するために専用パイロットシンボル及び制御パイロットシンボルの両方を用いることができる。データチャネルは、制限されることなしに、物理ダウンリンク共有チャネルを含むことができる。モバイルデバイス７００は、信号を変調する変調器７１４と、例えば基地局、他のモバイルデバイス、等に信号を送信する送信機７１６と、をさらに備える。制御復調器７１０、データ復調器７１２、復調器７０４、及び／又は変調器７１４は、プロセッサ７０６から切り離されて描かれているが、これらは、プロセッサ７０６又は複数のプロセッサ（示されていない）の一部であることができることが明確に理解されるべきである。
【００４９】
図８は、上述されるように無線通信ネットワークにおいてハイブリッドパイロット構成を生成及び用いるのを容易にするシステム８００を示す。システム８００は、複数の受信アンテナ８０６を通じて１つ以上のモバイルデバイス８０４から信号を受信する受信機８１０、及び送信アンテナ８０８を通じて１つ以上のモバイルデバイス８０４に送信する送信機８２４を有する基地局８０２（例えば、アクセスポイント）を備える。受信機８１０は、受信アンテナ８０６から情報を受信することができ、受信された情報を復調する復調器８１２と動作可能な形で関連づけられる。復調されたシンボルは、図７に関して上述されるプロセッサと類似であることができ及び信号（例えば、パイロット）強度及び／又は干渉強度を推定することに関連する情報、モバイルデバイス８０４（又は異種の基地局（示されていない））に送信されるべき又はモバイルデバイス８０４（又は異種の基地局（示されていない））から受信されたデータ、及び／又はここにおいて説明される様々な動作及び機能を行うことに関連するその他のあらゆる適切な情報を格納するメモリ８１６に結合されるプロセッサ８１４によって解析される。プロセッ８１４は、モバイルデバイス８０４に送信されるべき共通パイロットシンボルを維持することができる共通パイロットマネージャ８１８にさらに結合される。さらに、プロセッサ８１４は、モバイルデバイス８０４の各モバイルデバイスに関する個々の専用パイロットを含む一組の専用パイロットに関する専用パイロットシンボルを管理することができる専用パイロットマネージャ８２０に結合することができる。
【００５０】
一例により、基地局８０２は、共通パイロットマネージャ８１８によって維持される共通パイロットシンボルにおいてカプセル化された一組の既知のビット系列を含むことができる。基地局８０２は、共通パイロットシンボルをモバイルデバイス８０４にブロードキャストするために共通パイロットチャネルを用いることができる。専用パイロットマネージャ８２０は、モバイルデバイス８０４に関する個別の一組の専用パイロットシンボルを維持する。個別の一組の専用パイロットシンボルは、基地局８０２がモバイルデバイス８０４に関して別個の専用パイロット信号及び／又はチャネルを維持するのを可能にする。基地局８０２は、同じ送信時間間隔（ＴＴＩ）を備えるデータブロックを送信機８２４によってモバイルデバイス８０４に送信する前に同じＴＴＩ内において共通パイロットシンボル及び専用パイロットシンボルを多重化することができる。さらに、共通パイロットマネージャ８１８、専用パイロットマネージャ８２０、復調器８１２、及び／又は変調器８２２は、プロセッサ８１４から切り離されて描かれているが、これらは、プロセッサ８１４又は複数のプロセッサ（示されていない）の一部であることができることが明確に理解されるべきである。
【００５１】
図９は、無線通信システム例９００を示す。無線通信システム９００は、説明を簡潔するために１つの基地局９１０及び１つのモバイルデバイス９５０を描く。しかしながら、システム９００は、２つ以上の基地局及び／又は２つ以上のモバイルデバイスを含むことができ、追加の基地局及び／又はモバイルデバイスは後述される基地局例及びモバイルデバイス例と実質的に類似すること又は異なることができることが明確に理解されるべきである。さらに、基地局９１０及び／又はモバイルデバイスは、両者間での無線通信を容易にするためのここにおいて説明されるシステム（図１乃至３及び７乃至８）技法／構成（図４）及び／又は方法（図５乃至６）を採用できることが明確に理解されるべきである。
【００５２】
基地局９１０において、幾つかのデータストリームに関するトラフィックデータがデータソース９１２から送信（ＴＸ）データプロセッサ９１４に提供される。一例により、各データストリームは、各々のアンテナを通じて送信することができる。ＴＸデータプロセッサ９１４は、コーディングされたデータを提供するためにそのデータストリームに関して選択された特定のコーディング方式に基づいてトラフィックデータストリームをフォーマット化、コーディング、及びインターリービングする。
【００５３】
各データストリームに関するコーディングされたデータは、直交周波数分割多重化（ＯＦＤＭ）技法を用いてパイロットデータと多重化することができる。さらに加えて又は代替で、パイロットシンボルは、周波数分割多重化（ＦＤＭ）、時分割多重化（ＴＤＭ）、又は符号分割多重化（ＣＤＭ）することができる。パイロットデータは、典型的には、既知の方法で処理される既知のデータパターンであり、チャネル応答を推定するためにモバイルデバイス９５０において用いることができる。各データストリームに関する多重化されたパイロット及びコーディングされたデータは、変調シンボルを提供するためにそのデータストリームに関して選択された特定の変調方式（例えば、二位相偏移変調（ＢＰＳＫ）、四位相偏移変調（ＱＰＳＫ）、Ｍ位相偏移変調（Ｍ−ＰＳＫ）、Ｍ−直交振幅変調（Ｍ−ＱＡＭ）、等）に基づいて変調する（例えば、シンボルマッピングする）ことができる。各データストリームに関するデータレート、コーディング、及び変調は、プロセッサ９３０によって実行又は提供される命令によって決定することができる。
【００５４】
データストリームに関する変調シンボルは、ＴＸ  ＭＩＭＯプロセッサ９２０に提供することができ、ＴＸ  ＭＩＭＯプロセッサ９２０は、（例えば、ＯＦＤＭに関する）変調シンボルをさらに処理することができる。次に、ＴＸ  ＭＩＭＯプロセッサ９２０は、ＮＴの変調シンボルストリームをＮＴの送信機（ＴＭＴＲ）９２２ａ乃至９２２ｔに提供する。様々な実施形態においては、ＴＸ  ＭＩＭＯプロセッサ９２０は、データストリームのシンボルに対して及びシンボルを送信中であるアンテナに対してビーム形成重みを適用する。
【００５５】
各送信機９２２は、各々のシンボルストリームを受信及び処理して１つ以上のアナログ信号を提供し、これらのアナログ信号をさらにコンディショニング（例えば、増幅、フィルタリング、及びアップコンバージョン）してＭＩＭＯチャネルで送信するのに適する変調された信号を提供する。さらに、送信機９２２ａ乃至９２２ｔからのＮＴの変調された信号がＮＴのアンテナ９２４ａ乃至９２４ｔからそれぞれ送信される。
【００５６】
モバイルデバイス９５０において、送信された変調された信号がＮＲのアンテナ９５２ａ乃至９５２ｒによって受信され、各アンテナ９５２からの受信された信号は、各々の受信機（ＲＣＶＲ）９５４ａ乃至９５４ｒに提供される。各受信機９５４は、各々の信号をコンディショニング（例えば、フィルタリング、増幅、及びダウンコンバージョン）し、コンディショニングされた信号をデジタル化してサンプルを提供し、これらのサンプルをさらに処理して対応する“受信された”シンボルストリームを提供する。
【００５７】
ＲＸデータプロセッサ９６０は、特定の受信機処理技法に基づいてＮＲの受信機９５４からのＮＲの受信されたシンボルストリームを受け取り及び処理してＮＴの“検出された”シンボルストリームを提供する。ＲＸデータプロセッサ９６０は、各検出されたシンボルストリームを復調、デインターリービング、及び復号してデータストリームに関するトラフィックデータを復元する。ＲＸデータプロセッサ９６０による処理は、基地局９１０におけるＴＸ  ＭＩＭＯプロセッサ９２０及びＴＸデータプロセッサ９１４によって行われる処理を補完するものである。
【００５８】
プロセッサ９７０は、上述されるようにいずれのプリコーディング行列を利用すべきかを周期的に決定することができる。さらに、プロセッサ９７０は、行列インデックス部分と順位値部分とを備える逆方向リンクメッセージを作成することができる。
【００５９】
逆方向リンクメッセージは、通信リンク及び／又は受信されたデータストリームに関する様々なタイプの情報を備えることができる。逆方向リンクメッセージは、幾つかのデータストリームに関するトラフィックデータもデータソース９３６から受け取るＴＸデータプロセッサ９３８によって処理し、変調器９８０によって変調し、送信機９５４ａ乃至９５４ｒによってコンディショニングし、基地局９１０に送信して戻すことができる。
【００６０】
基地局９１０において、モバイルデバイス９５０からの変調された信号は、アンテナ９２４によって受信され、受信機９２２によってコンディショニングされ、復調器９４０によって復調され、ＲＸデータプロセッサ９４２によって処理され、モバイルデバイス９５０によって送信された逆方向リンクメッセージが抽出される。さらに、プロセッサ９３０は、抽出されたメッセージを処理し、いずれのプリコーディング行列をビーム形成重みの決定のために用いるべきかを決定することができる。
【００６１】
プロセッサ９３０及び９７０は、基地局９１０及びモバイルデバイス９５０における動作を指示（例えば、制御、調整、管理）することができる。各々のプロセッサ９３０及び９７０は、プログラムコード及びデータを格納するメモリ９３２及び９７２と関連づけることができる。プロセッサ９３０及び９７０は、アップリンク及びダウンリンクに関する周波数及びインパルス応答推定値を導き出すための計算をそれぞれ行うこともできる。
【００６２】
ここにおいて説明される実施形態は、ハードウェア、ソフトウェア、ファームウェア、ミドルウェア、マイクロコード、又はそのいずれかの組み合わせにおいて実装できることが理解されるべきである。ハードウェアにおいて実装する場合は、処理ユニットは、ここにおいて説明される機能を果たすように設計された１つ以上の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、その他の電子ユニット、又はその組み合わせ内に実装することができる。
【００６３】
これらの実施形態がソフトウェア、ファームウェア、ミドルウェア、マイクロコード、プログラムコード又はコードセグメントにおいて実装されるときには、機械によって読み取り可能な媒体、例えば記憶構成要素、に格納することができる。コードセグメントは、手順、関数、サブプログラム、プログラム、ルーチン、サブルーチン、モジュール、ソフトウェアパッケージ、クラス、又は命令、データ構造、又はプログラム文の組み合わせを表すことができる。コードセグメントは、情報、データ、引数、パラメータ、又はメモリ内容を渡す及び／又は受け取ることによって他のコードセグメント又はハードウェア回路と結合させることができる。情報、引数、パラメータ、データ、等は、メモリを共有する、メッセージを渡す、トークンを渡す、ネットワーク送信、等を含むあらゆる適切な手段を用いて渡す、転送する、又は送信することができる。
【００６４】
ソフトウェア内に実装する場合は、ここにおいて説明される技法は、ここにおいて説明される機能を果たすモジュール（例えば、手順、関数、等）とともに実装することができる。ソフトウェアコードは、メモリユニットに格納してプロセッサによって実行することができる。メモリユニットは、プロセッサ内に又はプロセッサの外部に実装することができ、プロセッサの外部に実装する場合は、当業において知られる様々な手段を通じて通信可能な形でプロセッサに結合させることが可能である。
【００６５】
図１０に関して、ハイブリッドパイロット構成を生成するシステム１０００が示される。例えば、システム１０００は、基地局、モバイルデバイス、等内に少なくとも部分的に常駐することができる。システム１０００は、プロセッサ、ソフトウェア、又はその組合せ（例えばファームウェア）によって実装される機能を表す機能ブロックであることができる機能ブロックを含むものとして表されることが明確に理解されるべきである。システム１０００は、連携して動作することができる電気的構成要素から成る論理グループ１００２を含む。例えば、論理グループ１００２は、共通パイロットシンボルを専用パイロットシンボルと多重化するための電気的構成要素１００４を含むことができる。例えば、共通パイロットシンボル及び専用パイロットシンボルは、カプセル化されたデータブロックとしてデバイスに送信するために単一の送信時間間隔内において多重化することができる。さらに、論理グループ１００２は、多重化されたパイロットシンボルを送信するための電気的構成要素１００６を備えることができる。例えば、共通パイロットシンボルは、典型的には、通信中の全デバイスに対して共通パイロットチャネルにおいて送信される（例えば、ブロードキャストされる）。さらに、専用パイロットチャネルは、典型的には、通信中の各デバイスに関して別々に維持される専用パイロットチャネルにおいて送信される。一側面により、両方のパイロットシンボルが同じＴＴＩにおいて多重化及び送信される。さらに、システ１０００は、電気的構成要素１００４及び１００６と関連づけられた機能を実行するための命令を保持するメモリ１００８を含むことができる。電気的構成要素１００４及び１００６は、メモリ１００８の外部の電気的構成要素として示されている一方で、該電気的構成要素のうちの１つ以上がメモリ１０１０内に存在できることが理解されるべきである。
【００６６】
図１１に関して、無線通信ネットワークにおいてハイブリッドパイロット構成を利用するシステム１１００が示される。システム１１００は、基地局、モバイルデバイス、等内に常駐することができる。描かれるように、システム１１００は、プロセッサ、ソフトウェア、又はその組み合わせ（例えば、ファームウェア）によって実装される機能を表すことができる機能ブロックを含む。システム１１００は、ホッピングパターンに従って広帯域パイロット信号を通信するのを容易にする電気的構成要素から成る論理グループ１１０２を含む。論理グループ１１０２は、共通パイロットシンボルと専用パイロットシンボルとを含む送信を受信するための電気的構成要素１１０４を含むことができる。一例により、共通パイロットシンボル及び専用パイロットシンボルは、送信時間間隔においてまとめて多重化することができる。さらに、論理グループ１１０２は、共通パイロットシンボルを利用して制御チャネルを復調するための電気的構成要素１１０６を含むことができる。一側面により、制御チャネルは、無線通信ネットワークの帯域幅全体にわたることができる。さらに、論理グループ１１０２は、専用パイロットシンボルを用いてデータチャネルを復調するための電気的構成要素１１０８を備えることができる。さらに、電気的構成要素１１０８は、共通パイロットシンボルも同様に利用することによってデータチャネルの復調を増強することができる。さらに、システム１１００は、電気的構成要素１１０４、１１０６、及び１１０８と関連づけられた機能を実行するための命令を保持するメモリ１１１０を含むことができる。電気的構成要素１１０４、１１０６、及び１１０８は、メモリ１１１０の外部の電気的構成要素として示されている一方で、該電気的構成要素はメモリ１１１０内に存在できることが理解されるべきである。
【００６７】
上述されていることは、１つ以上の実施形態の例を含む。当然のことであるが、上記の実施形態を説明することを目的として構成要素又は方法の考えられるあらゆる組み合わせを説明することは可能ではないが、様々な実施形態のさらに数多くの組み合わせ及び置換が可能であることを当業者は認識することができる。従って、説明される実施形態は、添付された請求項の精神又は適用範囲内にあるあらゆる変更、修正及び変形を包含することが意図されている。さらに、発明を実施するための形態又は請求項の範囲において“含む”という表現が用いられている限りにおいて、該表現は、“備える”という表現が請求項において移行語として採用されたときの解釈と同様の包含性を有することが意図されている。
【図１】
2014014103.tif 000003
【図２】
2014014103.tif 000004
【図３】
2014014103.tif 000005
【図４】
2014014103.tif 000006
【図５】
2014014103.tif 000007
【図６】
2014014103.tif 000008
【図７】
2014014103.tif 000009
【図８】
2014014103.tif 000010
【図９】
2014014103.tif 000011
【図１０】
2014014103.tif 000012
【図１１】
2014014103.tif 000013
【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
無線通信ネットワークにおいてハイブリッドパイロットモードを利用するための方法であって、
多重化された共通パイロットシンボルと専用パイロットシンボルとを含む送信を送信時間間隔において受信することと、
前記共通パイロットシンボルを利用して少なくとも１つの制御チャネルにおける制御信号を復調することと、
前記専用パイロットシンボルを用いて少なくとも１つのデータチャネルにおけるデータ信号を復調すること、とを備える、方法。
【外国語明細書】
2014014103000001.pdf